(57)【要約】【課題】ＦＰＣの引き出しの領域によらず内周検知センサを設置することができる光ピックアップモジュールを提供することを目的とする。【解決手段】スピンドルモータ２と、光ピックアップ８と、光ピックアップ８を光ディスクの内周と外周の間で移動させるためのフィードモータ４を備えたフィード機構と、内周検知センサ９と、を備えた光ピックアップモジュール１０とした。内周検知センサ９は検知センサ９ａと被検知部９ｂとを備えて光ピックアップ８が光ディスクの最内周に到達したことを検知する。検知センサ９ａは光ピックアップ８と対向する側のスピンドルモータ２に隣接して設けられた。被検知部９ｂは検知センサ９ａに対向し光ピックアップ８に設けられた。【選択図】図１
2006294134.tif 000002
【特許請求の範囲】
【請求項１】
光ディスクを載置するターンテーブルを備え、前記光ディスクを回転させるスピンドルモータと、
前記光ディスクに対して情報の記録または再生の少なくとも一方を行う光ピックアップと、
前記光ピックアップを前記光ディスクの内周と外周の間で移動させるフィードモータを備えたフィード機構と、
前記光ピックアップと対向する側の前記スピンドルモータに隣接して設けられた検知センサと前記検知センサに対向し前記光ピックアップに設けられた被検知部とを備え、前記光ピックアップが前記光ディスクの最内周に到達したことを検知する内周検知センサと、
を備えたことを特徴とする光ピックアップモジュール。
【請求項２】
前記検知センサは光線を出射する光線出射部と前記被検知部の反射面で反射された光線を検知する光線検知部とを備え、前記被検知部は前記光線出射部から出射された光線を反射し前記光線検知部に入射させる光線反射面を備えたことを特徴とする請求項１に記載の光ピックアップモジュール。
【請求項３】
前記スピンドルモータおよび前記検知センサを設けた基板を備えたことを特徴とする請求項１に記載の光ピックアップモジュール。
【請求項４】
前記光ピックアップは２波長半導体レーザ光源を備えたことを特徴とする請求項１に記載の光ピックアップモジュール。
【請求項５】
前記フィードモータはステッピングモータであることを特徴とする請求項１に記載の光ピックアップモジュール。
【請求項６】
前記フィードモータは直接スクリューシャフトと接続されたことを特徴とする請求項１に記載の光ピックアップモジュール。
【請求項７】
前記被検知部は前記光ピックアップの前記スピンドルモータと対向する部分を切り欠いて設けたことを特徴とする請求項１に記載の光ピックアップモジュール。
【請求項８】
請求項１に記載の光ピックアップモジュールを備えたことを特徴とする光ディスク装置。
【発明の詳細な説明】
【技術分野】
【０００１】
本発明はパーソナルコンピュータやノートブック型コンピュータに好適に搭載される光ピックアップモジュールおよび光ディスク装置に関するものである。
【背景技術】
【０００２】
近年のパーソナルコンピュータ、特にノートブック型コンピュータの小型、軽量化に伴い、それらに搭載される光ディスク装置も小型、軽量化が推し進められてきた。そうした動きの中で光ディスクに対して情報の記録や再生を行う光ピックアップ装置を光ディスクの内周から外周まで移動させるフィード機構も小型、軽量化が進められてきた。一方、光ディスクは当初ＣＤ（コンパクトディスク）系のみであったが、ＤＶＤ（デジタルバーサティルディスク）系が追加され、さらにはＢＤ（ブルーレイディスク）やＨＤ  ＤＶＤ（ハイデフィニションＤＶＤ）が追加されつつある。これらは世代が新しくなるほど記録密度が向上し、光ピックアップ装置の制御もより緻密なものが要求され、フィード機構もより緻密な駆動が求められてきた。これらの動きの中でフィードモータはＤＣモータからより精度の良い回転制御ができるステッピングモータへ変更された。またフィードモータの回転駆動を直線駆動へ変換するスクリューシャフトもギアを介しての間接駆動からモータに直接接続しての直接駆動へ変更された。
【０００３】
図４は従来の光ピックアップモジュールの斜視構成図を示す。保護カバーは外している。ベース１０１は光ピックアップモジュール１１０の骨組みを成すもので、このベース１０１に直接的、間接的に各部品が装着される。スピンドルモータ１０２は光ディスクを載置するターンテーブル１０２ａを備えており、光ディスクを回転駆動する。スピンドルモータ１０２は基板１０３上に搭載されており、基板１０３はベース１０１に固定される。
【０００４】
フィード機構は以下のように構成される。フィードモータ１０４は光ピックアップ１０８を光ディスクの内周と外周の間を移動させる駆動モータである。フィードモータ１０４にはＤＣモータ、ステッピングモータ等があるが、より精密な駆動制御ができるステッピングモータへと移行しつつある。フィードモータ１０４はベース１０１に固定される。スクリューシャフト１０５はフィードモータ１０４に直接接続され、らせん状に溝が掘られている。主軸１０６と副軸１０７は調整部材、固定部材を介してベース１０１に固定されており、光ピックアップ１０８を移動自在に保持する。光ピックアップ１０８はガイド歯を有するラック１０８ａを備えている。ラック１０８ａがスクリューシャフト１０５に伝えられたフィードモータ１０４の回転駆動力を直線駆動力に変換することで光ピックアップ１０８は光ディスクの内周と外周の間を移動することができる。
【０００５】
光ピックアップ１０８はレーザ光源と、レーザ光源から出射されたレーザ光を光ディスクに焦点を結ばせる対物レンズに導く光学系と、光ディスクから反射した光を検出するセンサを備えている。光ピックアップ１０８は光ディスクに対して情報の記録または再生の少なくとも一方を行う。
【０００６】
内周検知センサ１０９は光ピックアップ１０８が光ディスクの最内周にあることを検知するセンサである。内周検知は光ピックアップ１０８の初期位置を光ディスク装置として認識するために必要なもので、光ピックアップ１０８が最内周位置に移動し、ＴＯＣ動作を行い、ＴＯＣ動作ができれば光ディスク装置として光ピックアップ１０８の初期位置を認識することができる。光ピックアップ１０８の位置がわかればサーボが外れる等がない限り光ディスクのデータエリア内に光ピックアップ１０８はあるので、データエリア外の最外周まで光ピックアップ１０８が移動することはなく、外周検知センサは必要としない。内周検知センサ１０９は基板１０３上に設けられた接触式センサ、非接触式センサ等で構成されている。本従来例の場合、検知センサ１０９ａから光線を発射し、被検知部１０９ｂで反射させ、それを再び検知センサ１０９ａで受光する、非接触式センサとした。
【０００７】
また光ピックアップ１０８は外部からの信号を光ピックアップ１０８内部に伝えたり、逆に光ピックアップ１０８からの信号を外部に伝えたりするためにＦＰＣ（図示せず）を備えている。ＦＰＣは領域Ａの位置から引き出され、基板１０３に接続される。フィード機構については（特許文献１）、内周検知センサについては（特許文献２）を参照のこと。
【特許文献１】特開平１１−２３２６５４号公報
【特許文献２】特開平１０−１１９１７号公報
【発明の開示】
【発明が解決しようとする課題】
【０００８】
ところで、ＦＰＣは機種によってはその構成上、図４の領域Ｂから引き出される光ピックアップがある。このような機種はＦＰＣと内周検知センサ１０９の被検知部１０９ｂが干渉するため、このような内周検知センサを適用することができなかった。
【０００９】
本発明は従来の問題点を解決するもので、ＦＰＣの引き出しの領域によらず内周検知センサを設置することができる光ピックアップモジュールを提供することを目的とする。
【課題を解決するための手段】
【００１０】
上記目的を達成するために本発明の光ピックアップモジュールは、光ディスクを載置するターンテーブルを備え、前記光ディスクを回転させるスピンドルモータと、前記光ディスクに対して情報の記録または再生の少なくとも一方を行う光ピックアップと、前記光ピックアップを前記光ディスクの内周と外周の間で移動させるためのフィードモータを備えたフィード機構と、前記光ピックアップと対向する側の前記スピンドルモータに隣接して設けられた検知センサと前記検知センサに対向し前記光ピックアップに設けられた被検知部とを備え、前記光ピックアップが前記光ディスクの最内周に到達したことを検知する内周検知センサと、を備えた構成とした。
【００１１】
検知センサが光ピックアップと対向する側のスピンドルモータに隣接して設けられ、光ピックアップに設けられた被検知部が検知センサに対向して設けられるため、内周検知センサはＦＰＣの引き出し部と当たらない。
【発明の効果】
【００１２】
本発明の光ピックアップモジュールは内周検知センサがＦＰＣの引き出し部と当たらないため、機種によるＦＰＣの引き出し部の位置に関わらず、内周検知センサを設置することができる。
【発明を実施するための最良の形態】
【００１３】
本発明の請求項１の発明は、光ディスクを載置するターンテーブルを備え、光ディスクを回転させるスピンドルモータと、光ディスクに対して情報の記録または再生の少なくとも一方を行う光ピックアップと、光ピックアップを光ディスクの内周と外周の間で移動させるためのフィードモータを備えたフィード機構と、光ピックアップと対向する側のスピンドルモータに隣接して設けられた検知センサと検知センサに対向し光ピックアップに設けられた被検知部とを備え、光ピックアップが光ディスクの最内周に到達したことを検知する内周検知センサと、を備えた光ピックアップモジュールである。
【００１４】
内周検知センサがＦＰＣの引き出し部と当たらないため、機種によるＦＰＣの引き出し部の位置に関わらず、内周検知センサを設置することができる。
【００１５】
請求項２の発明は、請求項１の発明において検知センサは光線を出射する光線出射部と被検知部の反射面で反射された光線を検知する光線検知部とを備え、被検知部は光線出射部から出射された光線を反射し光線検知部に入射させる光線反射面を備えた光ピックアップモジュールである。
【００１６】
フィード機構に衝撃を与えずに光ピックアップを停止させることができ、異音を防ぐことができる。
【００１７】
請求項３の発明は、請求項１の発明においてスピンドルモータおよび検知センサを設けた基板を備えた光ピックアップモジュールである。
【００１８】
スピンドルモータと検知センサを共通の基板上に設けているのでスピンドルモータに対する検知センサの位置が一定の所にあり、位置決めの再現性が良い。
【００１９】
請求項４の発明は、請求項１の発明において光ピックアップは２波長半導体レーザ光源を備えた光ピックアップモジュールである。
【００２０】
２波長半導体レーザ光源を備えた光ピックアップは半導体レーザ光源を２つ備える光ピックアップよりも光学系の部品数が少なくて済む。したがって被検知部を設けた上で、小型軽量化が図れる。
【００２１】
請求項５の発明は、請求項１の発明においてフィードモータはステッピングモータである光ピックアップモジュールである。
【００２２】
ステッピングモータは精密な駆動制御ができるが、脱調しやすい。本発明における内周検知センサと組み合わせることにより、脱調しても最内周で光ピックアップが衝突する恐れがないので安心して使うことができる。
【００２３】
請求項６の発明は、請求項１の発明においてフィードモータは直接スクリューシャフトと接続された光ピックアップモジュールである。
【００２４】
フィードモータの回転を減速することなく使うことができる。
【００２５】
請求項７の発明は、請求項１の発明において被検知部は光ピックアップのスピンドルモータと対向する部分を切り欠いて設けた光ピックアップモジュールである。
【００２６】
確実に反応する被検知部を設けることができる。また、被検知部分の光ピックアップの外形を大きくすることなく被検知部を設けることができるため光ピックアップモジュールの外形を大きくする必要がない。
【００２７】
請求項８の発明は、請求項１の発明に記載の光ピックアップモジュールを備えた光ディスク装置である。
【００２８】
内周検知センサがＦＰＣの引き出し部と当たらないため、機種によるＦＰＣの引き出し部の位置に関わらず、内周検知センサを設置することができる。
【００２９】
（実施の形態１）
以下、実施の形態１について図面を用いて説明する。図１は本実施の形態１の光ピックアップモジュールの構成図である。保護カバーは外している。ベース１は光ピックアップモジュール１０の骨組みを成すもので、このベース１に直接的、間接的に各部品が装着される。スピンドルモータ２は光ディスクを載置するターンテーブル２ａを備えており、光ディスクを回転駆動する。スピンドルモータ２は基板３上に搭載されており、基板３はベース１に固定される。
【００３０】
フィード機構は以下のように構成される。フィードモータ４は光ピックアップ８を光ディスクの内周と外周の間を移動させる駆動モータである。フィードモータ４にはＤＣモータ、ステッピングモータ等があるが、より精密な駆動制御ができるステッピングモータとした。フィードモータ４はベース１に固定される。スクリューシャフト５はフィードモータ４に直接接続され、らせん状に溝が掘られている。主軸６と副軸７は調整部材、固定部材を介してベース１に固定されており、光ピックアップ８を移動自在に保持する。光ピックアップ８はガイド歯を有するラック８ａを備えている。ラック８ａがスクリューシャフト５に伝えられたフィードモータ４の回転駆動力を直線駆動力に変換することで光ピックアップ８は光ディスクの内周と外周の間を移動することができる。
【００３１】
光ピックアップ８はレーザ光源と、レーザ光源から出射されたレーザ光を光ディスクに焦点を結ばせる対物レンズに導く光学系と、光ディスクから反射した光を検出するセンサを備えている。光ピックアップ８は光ディスクに対して情報の記録または再生の少なくとも一方を行う。
【００３２】
内周検知センサ９は光ピックアップ８が光ディスクの最内周にあることを検知するセンサである。内周検知は光ピックアップ８の初期位置を光ディスク装置として認識するために必要なもので、光ピックアップ８が最内周位置に移動し、ＴＯＣ動作を行い、ＴＯＣ動作ができれば光ディスク装置として光ピックアップ８の初期位置を認識することができる。光ピックアップ８の位置がわかればサーボが外れる等がない限り光ディスクのデータエリア内に光ピックアップ８はあるので、データエリア外の最外周まで光ピックアップ８が移動することはなく、外周検知センサは必要としない。
【００３３】
内周検知センサ９は基板３上に設けられた検知センサ９ａと光ピックアップ８に設けられた被検知部９ｂを備えて構成されている。検知センサ９ａは光ピックアップ８と対向する側のスピンドルモータ２に隣接して設けられた領域Ｃに設けられる。また基板３の上に設けられる。また被検知部９ｂは光ピックアップ８が最内周に位置している際に、被検知部９ｂが検知センサ９ａと対向するように光ピックアップ８に設けられている。しかも被検知部９ｂを設置している部分は光ピックアップ８のスピンドルモータ２に沿うように対向する部分であり、そこを切り欠いて被検知部９ｂを設け、スピンドルモータ２に沿う仮想線領域Ｄから被検知部９ｂが突出しない領域内に収められている。そのため光ピックアップ８は空間の無駄なく、スピンドルモータ２に接触しないぎりぎり内周まで移動することができる。
【００３４】
このような光ピックアップ８を切り欠いて被検知部９ｂを設けるためにはレーザ光源を２波長半導体レーザ光源とすることが望ましい。２波長半導体レーザ光源には複数の異なる波長のレーザ素子を１つのパッケージに隣接して配置したもの（いわゆるハイブリッド型２波長半導体レーザ）や、１つの半導体基板に複数の波長の光源を集積化した半導体レーザ素子（いわゆるモノリシック型２波長半導体レーザ）などがある。いずれも１つのパッケージで２つの波長のレーザ光を発光することができる。２波長半導体レーザ光源を用いると１波長の半導体レーザ光源を２種類用いる場合に対し、レーザ光源１個分のみならず、レンズ等の光学部品のいくつかを省略することができる。そのため光ピックアップ８に切り欠き部を設けて被検知部９ｂを設置するように設計する上で設計の自由度が大きいだけでなく、光ピックアップ８自体を小型軽量化しやすい。
【００３５】
また光ピックアップ８は外部からの信号を光ピックアップ８内部に伝えたり、逆に光ピックアップ８からの信号を外部に伝えたりするためにＦＰＣ（図示せず）を備えている。ＦＰＣは領域Ａまたは領域Ｂの位置から引き出され、基板３に接続される。
【００３６】
ＦＰＣが領域Ａから引き出される場合、ＦＰＣの引き出し側と被検知部９ｂとは光ピックアップ８の反対側の側面となり、ＦＰＣと内周検知センサ９とは干渉しない。またＦＰＣが領域Ｂから引き出される場合、領域Ｂは光ピックアップ８の仮想線領域Ｄに相当する部分の外側に設定される。したがって、この場合もＦＰＣと内周検知センサ９とは干渉しない。
【００３７】
次に内周検知センサ９の構成について説明する。図２は本実施の形態１で使用されている内周検知センサの構成図である。図２は内周検知状態を示している。検知センサ９ａは光線出射部９ｃおよび光線検知部９ｄを備えている。また、被検知部９ｂは反射面９ｅを備えている。光線出射部９ｃからは赤外線が出射されている。最内周まで光ピックアップ８が移動してくると、被検知部９ｂの反射面９ｅに赤外線が入射、反射し、光線検知部９ｄに入射し、電気信号に変換されて制御部（図示せず）に送られる。したがって、非接触状態で内周検知をし、光ピックアップ８の動きを制御するのでフィード機構に与える衝撃は小さい。
【００３８】
なお、内周検知センサ９は上記のような非接触式である必要はない。プッシュスイッチを検知センサ９ａの替わりに用い、光ピックアップ８そのものを被検知部９ｂとしてまたは新たに設けた被検知部９ｂが接触したことを検知しても良い。その際、光ピックアップ８がプッシュスイッチに衝突するので十分な剛性を保つ必要がある。
【００３９】
検知センサ９ａは電気回路を備えており、外部と接続されるために回路基板上に設置されると都合がよい。本実施の形態１ではスピンドルモータ２を設置している基板３に検知センサ９ａも設置している。したがって、スピンドルモータ２と検知センサ９ａの位置関係が固定されるので、内周の検知位置は安定する。
【００４０】
（実施の形態２）
以下、実施の形態２について図面を用いて説明する。図３は本実施の形態２の光ピックディスク装置の斜視構成図である。図３において筐体２１は上部筐体２１ａと下部筐体２１ｂを組み合わせて構成されている。トレイ２２は筐体２１に出没自在に設けられている。トレイ２２には実施の形態１に示した光ピックアップモジュール１０が搭載されている。光ピックアップモジュール１０は光ディスクを載置するターンテーブル２ａを備え光ディスクを回転させるスピンドルモータ２と、光ディスクに対して情報の記録または再生の少なくとも一方を行う光ピックアップ８と、光ピックアップ８を光ディスクの内周と外周の間で移動させるためのフィードモータ４を備えたフィード機構と、内周検知センサ９とを、備えている。開口を有する保護カバー１１は光ピックアップモジュール１０に備えられ、光ピックアップモジュール１０の構成部品の必要最小限のもののみを露出させる。そのため光ピックアップ８の内周検知センサ９は保護カバー１１のために露出されない。ベゼル２３はトレイ２２の前端面に設けられて、トレイ２２が筐体２１内に収納された時にトレイ２２の出没口を塞ぐように構成されている。筐体２１内部やトレイ２２内部には図示していない基板３があり、信号処理系のＩＣや電源回路などが搭載されている。図示していない外部コネクタ２４はコンピュータ等の電子機器に設けられた電源／信号ラインと接続される。そして、外部コネクタ２４を介して光ディスク装置２５内に電力を供給したり、あるいは外部からの電気信号を光ディスク装置２５内に導いたり、あるいは光ディスク装２５で生成された電気信号を電子機器などに送出する。以上のように実施の形態１で示した光ピックアップモジュール２を搭載した光ディスク装置２５は光ピックアップ８のＦＰＣがどの領域から引き出されても内周検知センサ９を設置することができるため内周をきちんと検知でき、安定した動作とすることができる。
【産業上の利用可能性】
【００４１】
以上のように本発明の光ピックアップモジュールは光ピックアップのＦＰＣがどの領域から引き出されても内周検知センサを設置することができるため安定した動作とすることができ、パーソナルコンピュータやノートブック型コンピュータに好適に搭載される光ディスク装置に用いられる。
【図面の簡単な説明】
【００４２】
【図１】本実施の形態１の光ピックアップモジュールの構成図
【図２】本実施の形態１で使用されている内周検知センサの構成図
【図３】本実施の形態２の光ディスク装置の斜視構成図
【図４】従来の光ピックアップモジュールの斜視構成図
【符号の説明】
【００４３】
１    ベース
２    スピンドルモータ
２ａ    ターンテーブル
３    基板
４    フィードモータ
５    スクリューシャフト
６    主軸
７    副軸
８    光ピックアップ
８ａ    ラック
９    内周検知センサ
９ａ    検知センサ
９ｂ    被検知部
９ｃ    光線出射部
９ｄ    光線検知部
９ｅ    反射面
１０    光ピックアップモジュール
１１    保護カバー
２１    筐体
２１ａ    上部筐体
２１ｂ    下部筐体
２２    トレイ
２３    ベゼル
２４    外部コネクタ
【図１】
2006294134.tif 000003
【図２】
2006294134.tif 000004
【図３】
2006294134.tif 000005
【図４】
2006294134.tif 000006